(57)【特許請求の範囲】
【請求項１】
移動通信システムにおいて、基地局が端末に、前記端末が隣接基地局をメジャメントした後、メジャメントレポートトリガーを行うために必要な情報を提供する方法において、
アクティブモードの端末である場合、特定の隣接基地局別に独立的なＴＴＴ（Ｔｉｍｅ−ｔｏ−Ｔｒｉｇｇｅｒ）をアクティブモードの端末に提供する過程と、
アイドルモードの端末である場合、特定の隣接基地局別に独立的なティリセレクション（Ｔｒｅｓｅｌｅｃｔｉｏｎ）をアイドルモードの端末に提供する過程と、を含むことを特徴とする方法。
【請求項２】
独立的なＴＴＴをアクティブモードの端末に提供する過程は、
ＭｅａｓＯｂｊｅｃｔＥＵＴＲＡ  ＩＥ（Ｉｎｆｏｒｍａｔｉｏｎ  Ｅｌｅｍｅｎｔ）に前記ＴＴＴを含ませてアクティブモードの端末に提供する過程を含み、
独立的なティリセレクションをアイドルモードの端末に提供する過程は、
システム情報ブロックに前記ティリセレクションを含ませてアイドルモードの端末に提供する過程を含むことを特徴とする請求項１に記載の方法。
【請求項３】
アクティブモードの端末である場合、特定の隣接基地局別に独立的なＴＴＴ−ＳＦ（Ｓｃａｌｉｎｇ  Ｆａｃｔｏｒ）をアクティブモードの端末に提供する過程と、
アイドルモードの端末である場合、特定の隣接基地局別に独立的なティリセレクション−ＳＦをアイドルモードの端末に提供する過程と、を更に含み、
独立的なＴＴＴ−ＳＦをアクティブモードの端末に提供する過程は、
端末の速度を考慮して設定されたＳＦ値を適用したＴＴＴ−ＳＦをＭｅａｓＯｂｊｅｃｔＥＵＴＲＡ  ＩＥに含ませてアクティブモードの端末に提供するか、別途のＳＦ値を新たに設定したＴＴＴ−ＳＦをＭｅａｓＯｂｊｅｃｔＥＵＴＲＡ  ＩＥに含ませてアクティブモードの端末に提供する過程を含み、
独立的なティリセレクション−ＳＦをアイドルモードの端末に提供する過程は、
システム情報ブロックに端末の速度を考慮して設定されたＳＦ値を適用したティリセレクション−ＳＦを含ませてアイドルモードの端末に提供するか、システム情報ブロックに別途のＳＦ値を新たに設定したティリセレクション−ＳＦを含ませてアイドルモードの端末に提供する過程を含むことを特徴とする請求項１に記載の方法。
【請求項４】
アクティブモードの端末である場合、特定のセルタイプに属する隣接基地局別に独立的なＴＴＴをアクティブモードの端末に提供する過程と、
アイドルモードの端末である場合、特定のセルタイプに属する隣接基地局別に独立的なティリセレクションをアイドルモードの端末に提供する過程と、を更に含み、
特定のセルタイプに属する隣接基地局別に独立的なＴＴＴをアクティブモードの端末に提供する過程は、
特定のセルタイプに属する隣接基地局別に独立的なＴＴＴをＭｅａｓＯｂｊｅｃｔＥＵＴＲＡ  ＩＥに設定してアクティブモードの端末に提供するか、特定のセルタイプに属した隣接基地局別に独立的なＴＴＴをＲｅｐｏｒｔＣｏｎｆｉｇＥＵＴＲＡ  ＩＥに設定してアクティブモードの端末に提供する過程を含み、
特定のセルタイプに属する隣接基地局別に独立的なティリセレクションをアイドルモードの端末に提供する過程は、
システム情報ブロックに特定のセルタイプに属する隣接基地局別に独立的なティリセレクションを含ませてアイドルモードの端末に提供する過程を更に含むことを特徴とする請求項１に記載の方法。
【請求項５】
アクティブモードの端末である場合、特定のセルタイプに属する隣接基地局別に独立的なＴＴＴ−ＳＦをアクティブモードの端末に提供する過程と、
アイドルモードの端末である場合、特定のセルタイプに属する隣接基地局別に独立的なティリセレクション−ＳＦをアイドルモードの端末に提供する過程と、を更に含み、特定のセルタイプに属する隣接基地局別に独立的なＴＴＴ−ＳＦをアクティブモードの端末に提供する過程は、
端末の速度を考慮して設定されたＳＦ値を適用したＴＴＴ−ＳＦをＭｅａｓＯｂｊｅｃｔＥＵＴＲＡ  ＩＥ又はＲｅｐｏｒｔＣｏｎｆｉｇＥＵＴＲＡ  ＩＥに含ませてアクティブモードの端末に提供するか、別途のＳＦ値を新たに設定したＴＴＴ−ＳＦをＭｅａｓＯｂｊｅｃｔＥＵＴＲＡ  ＩＥ又はＲｅｐｏｒｔＣｏｎｆｉｇＥＵＴＲＡ  ＩＥに含ませてアクティブモードの端末に提供する過程を含み、
特定のセルタイプに属する隣接基地局別に独立的なティリセレクション−ＳＦをアイドルモードの端末に提供する過程は、
システム情報ブロックに端末の速度を考慮して設定されたＳＦ値を適用したティリセレクション−ＳＦを含ませてアイドルモードの端末に提供するか、システム情報ブロックに別途のＳＦ値を新たに設定したティリセレクション−ＳＦを含ませてアイドルモードの端末に提供する過程を含むことを特徴とする請求項１に記載の方法。
【請求項６】
移動通信システムで隣接基地局の情報を端末に提供する基地局の装置おいて、
アクティブモードの端末である場合、特定の隣接基地局別に独立的なＴＴＴ（Ｔｉｍｅ−ｔｏ−Ｔｒｉｇｇｅｒ）を生成し、アイドルモードの端末である場合、特定の隣接基地局別に独立的なティリセレクション（Ｔｒｅｓｅｌｅｃｔｉｏｎ）を生成する制御部と、
生成したＴＴＴをアクティブモードの端末に伝送し、かつ生成したティリセレクションをアイドルモードの端末に伝送する送信部を含むことを特徴とする装置。
【請求項７】
前記制御部は、ＭｅａｓＯｂｊｅｃｔＥＵＴＲＡ  ＩＥ（Ｉｎｆｏｒｍａｔｉｏｎ  Ｅｌｅｍｅｎｔ）に前記ＴＴＴを含ませてアクティブモードの端末に提供することにより独立的なＴＴＴをアクティブモードの端末に提供し、かつシステム情報ブロックに前記ティリセレクションを含ませてアイドルモードの端末に提供することにより独立的なティリセレクションをアイドルモードの端末に提供することを特徴とする請求項６に記載の装置。
【請求項８】
前記制御部は、アクティブモードの端末である場合、特定隣接基地局別に独立的なＴＴＴ−ＳＦをアクティブモードの端末に提供して、そしてアイドルモードの端末である場合、特定隣接基地局別に独立的なティリセレクション−ＳＦをアイドルモードの端末に提供して、そして、
前記制御部は、端末の速度を考慮して設定されたＳＦ値を適用したＴＴＴ−ＳＦをＭｅａｓＯｂｊｅｃｔＥＵＴＲＡ  ＩＥに含ませてアクティブモードの端末に提供し、または別途のＳＦ値を新たに設定したＴＴＴ−ＳＦをＭｅａｓＯｂｊｅｃｔＥＵＴＲＡ  ＩＥに含ませてアクティブモードの端末に提供することにより独立的なＴＴＴ−ＳＦをアクティブモードの端末に提供して、かつ、
システム情報ブロックに端末の速度を考慮して設定されたＳＦ値を適用したティリセレクション−ＳＦを含ませてアイドルモードの端末に提供し、またはシステム情報ブロックに別途のＳＦ値を新たに設定したティリセレクション−ＳＦを含ませてアイドルモードの端末に提供することにより独立的なティリセレクション−ＳＦをアイドルモードの端末に提供することを特徴とする請求項６に記載の装置。
【請求項９】
前記制御部は、アクティブモードの端末である場合、特定のセルタイプに属する隣接基地局別に独立的なＴＴＴをアクティブモードの端末に提供し、アイドルモードの端末である場合、特定のセルタイプに属する隣接基地局別に独立的なティリセレクションをアイドルモードの端末に提供し、かつ、
前記制御部は、特定のセルタイプに属する隣接基地局別に独立的なＴＴＴをＭｅａｓＯｂｊｅｃｔＥＵＴＲＡ  ＩＥに設定してアクティブモードの端末に提供し、または特定のセルタイプに属した隣接基地局別に独立的なＴＴＴをＲｅｐｏｒｔＣｏｎｆｉｇＥＵＴＲＡ  ＩＥに設定してアクティブモードの端末に提供することにより特定のセルタイプに属する隣接基地局別に独立的なＴＴＴをアクティブモードの端末に提供し、かつシステム情報ブロックに特定のセルタイプに属する隣接基地局別に独立的なティリセレクションを含ませてアイドルモードの端末に提供することにより特定のセルタイプに属する隣接基地局別に独立的なティリセレクションをアイドルモードの端末に提供することを特徴とする請求項６に記載の装置。
【請求項１０】
前記制御部は、アクティブモードの端末である場合、特定のセルタイプに属する隣接基地局別に独立的なＴＴＴ−ＳＦをアクティブモードの端末に提供し、アイドルモードの端末である場合、特定のセルタイプに属する隣接基地局別に独立的なティリセレクション−ＳＦをアイドルモードの端末に提供し、かつ、
前記制御部は、端末の速度を考慮して設定されたＳＦ値を適用したＴＴＴ−ＳＦをＭｅａｓＯｂｊｅｃｔＥＵＴＲＡ  ＩＥ又はＲｅｐｏｒｔＣｏｎｆｉｇＥＵＴＲＡ  ＩＥに含ませてアクティブモードの端末に提供し、または別途のＳＦ値を新たに設定したＴＴＴ−ＳＦをＭｅａｓＯｂｊｅｃｔＥＵＴＲＡ  ＩＥ又はＲｅｐｏｒｔＣｏｎｆｉｇＥＵＴＲＡ  ＩＥに含ませてアクティブモードの端末に提供することにより特定のセルタイプに属する隣接基地局別に独立的なＴＴＴ−ＳＦをアイドルモードの端末に提供し、かつシステム情報ブロックに端末の速度を考慮して設定されたＳＦ値を適用したティリセレクション−ＳＦを含ませてアイドルモードの端末に提供し、またはシステム情報ブロックに別途のＳＦ値を新たに設定したティリセレクション−ＳＦを含ませてアイドルモードの端末に提供することにより特定のセルタイプに属する隣接基地局別に独立的なティリセレクション−ＳＦをアイドルモードの端末に提供することを特徴とする請求項６に記載の装置。
【発明の詳細な説明】
【背景技術】
【０００１】
本発明は端末のハンドオーバのためのＴＴＴ（Ｔｉｍｅ−ｔｏ−Ｔｒｉｇｇｅｒ）を提供するための方法及び装置に関するものであり、更に詳しくは、本発明は移動通信システムにおける端末のハンドオーバのためのＴＴＴ（Ｔｉｍｅ−ｔｏ−Ｔｒｉｇｇｅｒ）の提供及び端末のリセレクション（ｒｅｓｅｌｅｃｔｉｏｎ）のためのティリセレクション（Ｔｒｅｓｅｌｅｃｔｉｏｎ）を提供するための装置及びその方法に関するものである。
【０００２】
最近、移動通信システムにおける高速のデータサービスに対する需要が持続的に増加している。カバレッジ（ｃｏｖｅｒａｇｅ）を考慮すると、データサービスは主に特定の小さい領域で発生するためマイクロセル（又は、Ｐｉｃｏｃｅｌｌ，Ｈｏｔｚｏｎｅ，Ｆｅｍｔｏｃｅｌｌなど）に対する関心が高まりつつある。
【０００３】
マイクロセル（Ｍｉｒｃｏ  Ｃｅｌｌ）に対する特性は以下のようである。前記マイクロセルはマクロセル（Ｍａｃｒｏ  Ｃｅｌｌ）より小さいカバレッジを有し、マクロセルと重畳される場合が発生し得る。そして、前記マイクロセルはマクロセルと同じであるか互いに異なる周波数で動作することができ、マクロ基地局に比べ低い伝送電力を使用する。
【０００４】
しかし、端末がマクロセルからマイクロセルにハンドオーバする際、従来にマクロセル間で使用していたハンドオーバのための設定値を使用する場合、ハンドオーバに失敗する確立が高い問題点がある。
【発明の概要】
【０００５】
本発明の目的は、移動通信端末機におけるハンドオーバを支援する情報を提供するための装置及びその方法を提供することにある。
【０００６】
本発明の他の目的は、移動通信システムにおける端末のハンドオーバのためのＴＴＴを提供するための装置及びその方法を提供することにある。
【０００７】
本発明のまた他の目的は、末機のセルリセレクション（Ｃｅｌｌ  Ｒｅｓｅｌｅｃｔｉｏｎ）のためのティリセレクション（Ｔｒｅｓｅｌｅｃｔｉｏｎ）を提供するための装置及びその方法を提供することにある。
【０００８】
本発明の更に他の目的は、マクロ／マイクロセル間ハンドオーバを行う際、安定的なハンドオーバの成功を支援するために３ＧＰＰ  ＬＴＥ（３ｒｄ  Ｇｅｎｅｒａｔｉｏｎ  Ｐａｒｔｎｅｒｓｈｉｐ  Ｐｒｏｊｅｃｔ  Ｌｏｎｇ  Ｔｅｒｍ  Ｅｖｏｌｕｔｉｏｎ）系列のシステムにおける基地局間ＴＴＴ関連情報を交渉し得る装置及びその方法を提供することにある。
【０００９】
本発明の更に他の目的は、３ＧＰＰ  ＬＴＥシステムにおけるマクロ／マイクロセル間の安定的なハンドオーバを行うためにサービング基地局がアクティブモードの端末に特定の隣接基地局別に独立的なＴＴＴ値を伝達し得る装置及びその方法を提供することにある。
【００１０】
本発明の更に他の目的は、３ＧＰＰ  ＬＴＥシステムにおけるマクロ／マイクロセル間の安定的なセルリセレクションを行うために基地局がアイドルモード端末に特定の隣接基地局別に独立的なティリセレクション値を伝達し得る装置及びその方法を提供することにある。
【００１１】
本発明の目的を達成するための第１見地によると、移動通信システムにおける基地居が端末に前記端末が隣接基地局をメジャメントした後、メジャメントレポートトリガーを行うために必要な情報を提供する方法において、アクティブモードの端末である場合特定の隣接基地局別に独立的なＴＴＴ（Ｔｉｍｅ−ｔｏ−Ｔｒｉｇｇｅｒ）をアクティブモードの端末に提供する過程と、アイドルモードの端末である場合特定の隣接基地局別に独立的なティリセレクションをアイドルモードの端末に提供する過程と、を含むことを特徴とする。
【００１２】
本発明の目的を達成するための第２見地によると、移動通信システムにおける基地局他が端末のハンドオーバ情報を他の基地局に伝送する方法において、移動性変更情報を含む移動性変更メッセージを隣接基地局に伝送して交渉する過程と、前記移動性変更メッセージに対する応答メッセージを受信する過程と、を含むことを特徴とする。
【００１３】
本発明の目的を達成するための第３見地によると、移動通信システムにおける端末の周辺基地局の移動性情報獲得方法において、端末がアクティブモードである場合制御メッセージを介して基地局の移動性情報を受信する過程と、前記制御メッセージに含まれた移動性情報に基づいて測定報告条件を満足するのかを検査する過程と、前記測定報告条件を満足する場合測定報告メッセージを前記基地局に伝送する過程と、前記端末がアイドルモードである場合システク情報ブロックを介して基地局の移動性情報を受信する過程と、前記システム情報ブロックに含まれた移動性情報に基づいてセルリセレクション条件を満足するのかを検査する過程と、前記セルリセレクション条件を満足する場合セルリセレクションを行う過程と、を含むことを特徴とする。
【００１４】
本発明の目的を達成するための第４見地によると、移動通信システムにおける隣接基地居の情報を端末に提供する基地局の装置において、アクティブモードの端末である場合特定の隣接基地局別に独立的なＴＴＴを生成し、アイドルモードの端末である場合特定の隣接基地局別に独立的なティリセレクションを生成する制御部と、生成したＴＴＴをアクティブモードの端末に伝送し、生成したティリセレクションをアイドルモードの端末に伝送する送信部と、を含むことを特徴とする。
【００１５】
本発明の目的を達成するための第５見地によると、移動通信システムにおける端末のハンドオーバ情報を他の基地局に伝送する基地局の装置において、移動性変更情報を含む移動性変更メッセージを生成する制御部と、前記移動性変更メッセージを隣接基地局に伝送する送信部と、前記移動性変更メッセージに対する応答メッセージを受信する受信部と、を含むことを特徴とする。
【００１６】
本発明の目的を達成するための第６見地によると、移動通信システムにおける周辺基地局の移動性情報を獲得する端末の装置において、端末がアクティブモードである場合制御メッセージを介して基地局の移動性情報を獲得し、前記制御メッセージに含まれた移動性情報に基づいて測定報告条件を満足するのかを検査し、前記測定報告条件を満足する場合測定報告メッセージを前記基地局に伝送し、前記端末がアイドルモードである場合システム情報ブロックを介して基地局の移動性情報を獲得し、前記システム情報ブロックに含まれた移動性情報に基づいてセルリセレクション条件を満足するのかを検査し、前記セルリセレクション条件を満足する場合セルリセレクションを行う制御部と、前記制御メッセージ及び前記システム情報ブロックを受信する受信部と、を含むことを特徴とする。
【図面の簡単な説明】
【００１７】
【図１】本発明の実施例による異種ネットワーク（Ｈｅｔｅｒｏｇｅｎｅｏｕｓ  Ｎｅｔｗｏｒｋ）の例を示す図である。
【図２】本発明の実施例によるメジャメントレポートメッセージを伝送するメッセージフローチャートである。
【図３】本発明の実施例によるマクロセルからマイクロセルへのハンドオーバの際、ダウンリンク受信信号強度の変化を示す図である。
【図４】本発明の実施例による端末がマクロセルからマクロセルにハンドオーバする際、端末の位置によるハンドオーバ過程を示す図である。
【図５】本発明の実施例による端末がマクロセルからマイクロセルにハンドオーバする際、端末の位置によるハンドオーバ過程を示すである。
【図６】本発明の他の実施例による端末がマクロセルからマイクロセルにハンドオーバする際、端末の位置によるハンドオーバ過程を示すである。
【図７】本発明の実施例による基地局の移動性変更（Ｍｏｂｉｌｉｔｙ  ｃｈａｎｇｅ）過程を示す図である。
【図８】本発明の実施例による基地局の移動性変更を示すフローチャートである。
【図９】本発明の実施例によるサービング基地局が端末に隣接基地局別に独立的なＴＴＴ（Ｔｉｍｅ−ｔｏ−Ｔｒｉｇｇｅｒ）及びティリセレクション値を伝達するメッセージフローチャートである。
【図１０】本発明の実施例によるサービング基地局が端末に隣接基地局別に独立的なＴＴＴ（Ｔｉｍｅ−ｔｏ−Ｔｒｉｇｇｅｒ）及びティリセレクション値を伝達するフローチャートである。
【図１１】本発明の実施例による基地局及び端末のブロック構成を示す図である。
【図１２】本発明の実施例による負荷ファクタ５０％、ＵＬ  ｌｏＴ  ５ｄＢである場合、ＨＯ  Ｆａｉｌ  Ｒａｔｉｏの結果を示す図である。
【図１３】本発明の実施例による負荷ファクタ１００％、ＵＬ  ｌｏＴ  ７ｄＢである場合、ＨＯ  Ｆａｉｌ  Ｒａｔｉｏの結果を示す図である。
【発明を実施するための形態】
【００１８】
以下、本発明の好ましい実施例を添付した図面を参照して詳細に説明する。そして、本発明を説明するに当たって、関連する公知機能或いは構成に対する具体的な説明が本発明の要旨を不明確にする恐れがあると判断される場合、その詳細な説明を省略する。
【００１９】
以下、本発明は、移動通信システムにおけるハンドオーバを支援情報を提供するための装置及びその方法について説明する。
【００２０】
３ＧＰＰ  ＲＡＮ  ＷＧ１（３ｒｄ  Ｇｅｎｅｒａｔｉｏｎ  Ｐａｒｔｎｅｒｓｈｉｐ  Ｐｒｏｊｅｃｔ  Ｒａｄｉｏ  Ａｃｃｅｓｓ  Ｎｅｔｗｏｒｋ  Ｗｏｒｋｉｎｇ  Ｇｒｏｕｐ１）では、２００９年１０月の会議からＬＴＥ−Ａｄｖａｎｃｅｄ  ｓｔｕｄｙ  ｉｔｅｍとして異種ネットワーク（Ｈｅｔｅｒｏｇｅｎｏｕｅｓ  Ｎｅｔｗｏｒｋ）を考慮している。異種ネットワーク（以下、ＨｅｔＮｅｔと称する）とは、マクロ基地局の領域内に少ない送信出力を使用する基地局がオーバレイされた形のセルラー配置（ｄｅｐｌｏｙｍｅｎｔ）を意味する。
【００２１】
即ち、前記ＨｅｔＮｅｔでは互いに異なる大きさのセルが混ぜているかオーバレイされている。ここで、全ての基地局は同じ無線伝送技術を使用する。
【００２２】
図１は、本発明の実施例による異種ネットワークの例を示す図である。
【００２３】
前記図１を参照すると、異種ネットワークのマクロ基地局１００が司る領域内にはピコセル１３０，１４０及びフェムトセル１５０，１６０，１７０が存在し、小さい規模のラジオネットワーク１１０，１２０を有するマイクロセルが存在する。
【００２４】
本発明は、３ＧＰＰ  ＬＴＥ系列システムを実施例として考慮して説明する。
【００２５】
本発明は異種ネットワークを配置する際、端末がマクロ／マイクロセル間でハンドオーバする際、効率的にハンドオーバを支援し得る方案に関するものである。
【００２６】
特に、本発明では３ＧＰＰ  ＬＴＥ系列システムにおける基地局間のＴＴＴ（Ｔｉｍｅ−ｔｏ−Ｔｒｉｇｇｅｒ）関連情報を交渉し得る方案について説明する。
【００２７】
また、本発明はアイドルモードで動作する端末がマクロ／マイクロセル間でセルリセレクションを行う際、効率的に端末がセルリセレクショトリガリングを支援し得る方案に関するものである。
【００２８】
本発明は３ＧＰＰ  ＬＴＥ系列システムにおけるサービング基地局が端末に隣接基地局別に独立的なＴＴＴ及びティリセレクション値を伝達しえる方案を説明する。
【００２９】
アクティブモード端末はサービング基地局とターゲット基地局のＲＳＲＰ（Ｒｅｆｅｒｅｎｃｅ  Ｓｉｇｎａｌ  Ｒｅｃｅｉｖｅｄ  Ｐｏｗｅｒ）を測定した後、２つの受信信号の強度を比較する。次に、前記端末はメジャメントトリガー条件を満足すると、メジャメントレポートメッセージをサービング基地局に伝送する。
【００３０】
ＬＴＥシステムでは様々な種類のメジャメントトリガー条件が存在するが、最も一般的に使用されるメジャメントトリガー条件であるイベントＡ３は下記数式のようである。
【００３１】
【数１】
0005580476.tif 000002
【００３２】
端末は進入条件（進入条件）を満足した後、ＴＴＴ（Ｔｉｍｅ−ｔｏ−Ｔｒｉｇｇｅｒ）時間の間離脱条件（Ｌｅａｖｉｎｇ  ｃｏｎｄｉｔｉｏｎ）が発生しないとイベントが発生する。ここで、ＴＴＴ値は測定イベント（ｍｅａｓｕｒｅｍｅｎｔ  ｅｖｅｎｔ）がトリガーされるためにメジャメントトリガー条件を満足しなければならない時間を意味する。ＬＴＥシステムでは端末の速度によって１６個の値のうち一つを選択して適用し得る。
【００３３】
０ｃｎ値はハンドオーバを行う際隣接セルの信号レベルに足すか引くオフセット値であり、特定の２つのセルごとに異なるように設定してもよい。０ｃｓ値はハンドオーバを行う際サービングセルの信号レベルに足すか引くオフセット値であり、特定のセルごとに存在するパラメータである。
【００３４】
サービング基地局は端末からメジャメントレポートを受信すると、ＲＲＭ（Ｒａｄｉｏ  Ｒｅｓｏｕｒｃｅ  Ｍａｎａｇｅｍｅｎｔ）情報を参考して前記端末のハンドオーバ可否を決定する。
【００３５】
図２は、本発明の実施例によるメジャメントレポートメッセージを伝送するメッセージフローチャートである。
【００３６】
前記図２を参照すると、ＬＴＥシステムでは様々な種類のメジャメントレポートトリガリング条件が存在するが、最も一般的に使用されるメジャメントレポートトリガリング条件は上述したイベントＡ３である。
【００３７】
ＭＭＥ２４０又はサービングゲートウェイ２５０は領域制限情報を有している（ステップａ）。
【００３８】
ソース基地局２２０は端末２１０にメジャメント制御メッセージ（Ｍｅａｓｕｒｅｍｅｎｔ  Ｃｏｎｔｒｏｌ  ｍｅｓｓａｇｅ）を伝送し、メジャメントレポートトリガリングを行うために必要な様々な値を提供する（ステップｂ）。
【００３９】
提供する値のうち一つがＴＴＴ値である。前記メジャメント制御メッセージは、ＬＴＥシステムでは「ｍｅａｓＣｏｎｆｉｇ」  ＩＥが含まれたＲＲＣ連結再構成（Ｃｏｎｎｅｃｔｉｏｎ  Ｒｅｃｏｎｆｉｇｕｒａｔｉｏｎ）メッセージを意味する。
【００４０】
イベントＡ３での進入条件を満足した後、ＴＴＴ時間の間離脱条件が発生しないとイベントが発生する。ここで、ＴＴＴ値はメジャメントレポートイベントがトリガーされるためにメジャメントトリガリング条件を満足しなければならない時間を意味する。ＴＴＴ値について更に詳しく説明すると以下のようである。
【００４１】
まず、進入条件を最初に満足すると、端末２１０はＴＴＴ関連タイマーを稼動させる。その後、前記端末２１０はＴＴＴ時間の間進入条件を持続的に続けて満足すると「メジャメントレポート」メッセージをサービング又はソース基地局２２０に伝送する（ステップｃ）。
【００４２】
もし進入条件をＴＴＴ時間以内に満足しないとＴＴＴ関連タイマーは最初のＴＴＴ値にリセットされる。もし離脱条件が発生すると、ＴＴＴ関連タイマーはリリーズされる。
【００４３】
前記ソース基地局２２０は前記端末２１０から「メジャメントレポート」メッセージを受信すると、ＲＲＭ（Ｒａｄｉｏ  Ｒｅｓｏｕｒｃｅ  Ｍａｎａｇｅｍｅｎｔ）情報を参考して前記端末２１０をターゲット基地局２３０にハンドオーバさせるか否かを決定する（ステップｄ）。
【００４４】
以下、アイドルモード端末がセルリセレクショントリガリングを行う過程について説明する。
【００４５】
端末がアイドルモードで操作する際、セルリセレクションの目的でメジャメントを行う。一般に、端末はセルリセレクションを行うか否かを決定する。ＬＴＥシステムにおけるセルリセレクショントリガリングを行うためのメジャメント規則は以下のようである。
【００４６】
ＳＳｅｒｖｉｇＣｅｌｌがＳｉｎｔｒａｓｅａｒｃｈより小さいかＳｉｎｔｒａｓｅａｒｃｈがサービングセルに伝達されないと、アイドルモードである端末はイントラフリケンシメジャメント（ｉｎｔｒａ−ｆｒｅｑｕｅｎｃｙ  ｍｅａｓｕｒｍｅｎｔｓ）を行う。もし、Ｓｉｎｔｒａｓｅａｒｃｈがサービングセルに伝達され、ＳＳｅｒｖｉｎｇＣｅｌｌがＳｉｎｔｒａｓｅａｒｃｈより大きい場合、端末はそれ以上イントラフリケンシメジャメントを行わなくてもよい。
【００４７】
ここで、ＳｓｅｒｖｉｎｇＣｅｌｌはサービングセルの受信レベル信号値（単位ｄＢ）、Ｓｉｎｔｒａｓｅａｒｃｈはイントラフリケンシメジャメントのための臨界値（単位ｄＢ）を示す。アイドルモード端末のためのティリセレクション値は、アクティブモード端末のためのＴＴＴ値と類似した役割をする。
【００４８】
前記ティリセレクション値について更に詳しく説明すると以下のようである。まず、セルリセレクショントリガリング条件を最初に満足すると、端末はティリセレクション関連タイマーを稼動させる。
【００４９】
その後、前記端末はティリセレクション時間の間セルリセレクショントリガリング条件を続けて満足すると、実際にセルリセレクション過程を行う。もし、セルリセレクショントリガリング条件をティリセレクション時間以内に満足しないと、ティリセレクション関連タイマーは最初のティリセレクション値にリセットされる。
【００５０】
図３は、本発明の実施例によるマクロセルからマイクロセルへのハンドオーバの際、ダウンリンク受信信号強度の変化を示す図である。
【００５１】
前記図３を参照すると、マイクロセル３２０がマクロセル３１０内に重畳された環境下でマクロセル３１０とマイクロセル３２０が同じ周波数で動作する場合、端末３００がマクロセル３１０からマイクロセル３２０にハンドオーバを行う際、マイクロセル３２０の境界近くでマイクロセル３２０の基地局からの干渉が急速に増加し、チャネル環境が急激に低下する。
【００５２】
また、端末３００もマイクロセル３２０の基地局に深刻なアップリンク干渉を及ぼすようになる。それは、マイクロセル３２０の基地局と端末３００間の経路損失がマクロセル３１０の基地局と端末３００間の経路損失に比べ急速に変わるためである。従って、前記端末３００はマイクロセル３２０へのハンドオーバを行う前にＲａｄｉｏ  Ｌｉｎｋ  Ｆａｉｌｕｒｅ（ＲＬＦ）を経験する。
【００５３】
特に、高速で移動する端末３００がマクロセル３１０からマイクロセル３２０にハンドオーバを行う際、マクロセル３１０間のハンドオーバを行う際に適用される比較的長いＴＴＴパラメータ値をそのまま適用するとマイクロセル３２０へのハンドオーバは遅延され、ＲＬＦが発生する確率が急激に増加する。
【００５４】
このような問題点を解決するためには、マクロセル３１０／マイクロセル３２０間で行われるハンドオーバに適合した別途のパラメータ（ｈａｎｄｏｖｅｒ  ｔｒｉｇｇｅｒ  ｔｈｒｅｓｈｏｌｄ，Ｔｉｍｅ−ｔｏ−Ｔｒｉｇｇｅｒ）の適用が必要である。
【００５５】
安定的なマクロセル３０１／マイクロセル３２０間のハンドオーバを支援するためには、以下のような２つの事項を全て満足しなければならない。
【００５６】
第一、サービング基地局は隣接ターゲット基地局別に独立的なハンドオーバトリガー臨界値（ＨＯ  ｔｒｉｇｇｅｒ  ｔｈｒｅｓｈｏｌｄ）値とＴＴＴ値を適用してそのようなパラメータ値を端末に伝達しなければならない（ハンドオーバターゲット基地局のＰＣＩ別に別途のハンドオーバトリガー臨界値とＴＴＴ値を適用して端末に伝達しなければならない）。
【００５７】
従って、それはターゲット基地局がマクロセル３１０の基地局であるのか或いはマイクロセル３２０の基地局であるのかによってハンドオーバトリガー臨界値とＴＴＴ値を異なるように適用して端末３００に伝達することを意味する。
【００５８】
第二、サービング基地局が隣接ターゲット基地局別にいかなるハンドオーバトリガー臨界値とＴＴＴ値を適用すべきであるのかを知っていなければならない。そうでなければ、最初の要求事項を満足することができない。現在の規格で基地局間のＴＴＴ値を交渉し得る方案はまだない。
【００５９】
下記で説明する図４、図５、図６はこのような問題点を示したものであり、ここでハンドオーバトリガー臨界値はイベントＡ３におけるオフセット（ｏｆｆｓｅｔ）値を意味する。
【００６０】
図４は、本発明の実施例による端末がマクロセルからマクロセルにハンドオーバする際、端末の位置によるハンドオーバ過程を示すである。
【００６１】
前記図４を参照すると、端末がマクロセル１からマクロセル２にハンドオーバする場合、マクロセル２とマクロセル１間のハンドオーバ臨界値がＨＯ＿Ｔｈｒｅｓｈｏｌｄより大きい場合（ステップ１）Ａ３イベントが発生し、前記Ａ３イベントがＴＴＴ値より大きく維持される場合（ステップ２）端末はメジャメントレポートメッセージをマクロセル１に伝送し（ステップ３）、前記マクロセル１は前記端末のハンドオーバ可否を決定してＨＯ＿Ｃｏｍｍａｎｄメッセージを前記端末に伝送する（ステップ４）。
【００６２】
図５は、本発明の実施例による端末がマクロセルからマイクロセルにハンドオーバする際、端末の位置によるハンドオーバ過程を示すである。
【００６３】
前記図５を参照すると、ハンドオーバ過程（ステップ１〜４）において前記マクロセルからマクロセルにハンドオーバする際適用されるパラメータをそのまま使用する場合、急激な干渉によってハンドオーバに失敗する（ステップ４）。
【００６４】
図６は、本発明の他の実施例による端末がマクロセルからマイクロセルにハンドオーバする際、端末の位置によるハンドオーバ過程を示すである。
【００６５】
前記図６を参照すると、ハンドオーバ過程（ステップ１〜４）においてマクロセルからマイクロセルへのハンドオーバに最適化されたパラメータを適用する。前記図６に示したように、急激な干渉を受信する前に端末のマクロセルへのハンドオーバを速く行い（ステップ１，２）、ハンドオーバを製鋼させる（ステップ３，４）。
【００６６】
上述したように、安定的なマクロセル／マイクロセル間のハンドオーバを支援するために、サービング基地局は隣接基地局別に独立的なハンドオーバトリガー臨界値とＴＴＴ値を適用してそのようなパラメータ値を端末に伝達しなければならない。
【００６７】
即ち、ハンドオーバターゲット基地局のＰＣＩ別に別途のハンドオーバトリガー臨界値とＴＴＴ値を適用して端末に伝達しなければならない。従って、ハンドオーバターゲット基地局がマクロ基地局であるのか或いはマイクロ基地局であるのかによって端末がＨＯ  ｔｒｉｇｇｅｒ  ｔｈｒｅｓｈｏｌｄ値とＴＴＴ値を異なるように適用して「メジャメントレポート」メッセージを伝送するとハンドオーバに成功し得る。
【００６８】
前記ハンドオーバトリガー臨界値は「ＭｅａｓＯｂｊｅｃｔＥＵＴＲＡ」Ｉｎｆｏｒｍａｔｉｏｎ  ｅｌｅｍｅｎｔ（以下、ＩＥ）にＣｅｌｌＩｎｄｉｖｉｄｕａｌｏｆｆｓｅｔ値として示される。前記「ＭｅａｓＯｂｊｅｃｔＥＵＴＲＡ」  ＩＥはアクティブモードの端末が隣接セルを測定する際に必要な情報が含まれる。
【００６９】
しかし、現在のＬＴＥ規格でサービング基地局が端末に隣接基地局別にＴＴＴ値を伝達することはできない。一方、ティリセレクション値もＴＴＴ値と同じく現在のＬＴＥ規格では隣接基地局別に独立的なティリセレクション値を端末に伝達することができない。
【００７０】
上述したように、本発明では３ＧＰＰ  ＬＴＥ系列システムにおけるＸ２インターフェースを介して基地局間ＴＴＴ関連情報を交渉し得る装置及びその方法を提供する。
【００７１】
ＬＴＥ規格によると、移動性設定手順（Ｍｏｂｉｌｉｔｙ  Ｓｅｔｔｉｎｇｓ  Ｐｒｏｃｅｄｕｒｅ）が根本手順（Ｅｌｅｍｅｎｔａｒｙ  Ｐｒｏｃｅｄｕｒｅ）のうち一つとして定義されている。そのような手順は、基地局が移動性関連パラメータの変更を望む際、隣接基地局とＸ２インターフェースを介して変更する移動性関連パラメータを交渉する手順である。
【００７２】
現在の規格では前記手順を介して基地局間の負荷均衡（ｌｏａｄ  ｂａｌａｎｃｉｎｇ）又はハンドオーバ最適化などの目的でハンドオーバトリガー臨界値の変更地を交渉する機能を行い得る。
【００７３】
本発明では、Ｘ２インターフェースを介した基地局間ＴＴＴ関連情報の交渉は移動性設定手順を使用する。
【００７４】
しかし、本発明はＴＴＴ関連情報の交渉と基地局間の提供のためにＸ２インターフェースを使用することに制限を受けない。ＴＴＴ関連情報の交渉及び基地局間の提供においては、いかなる方式も使用され得る。
【００７５】
図７は、本発明の実施例による基地局の移動性変更（Ｍｏｂｉｌｉｔｙ  ｃｈａｎｇｅ）過程を示す図である。
【００７６】
前記図７を参照すると、基地局１  ７１０はＸ２インターフェースで連結された基地局２  ７２０に、前記基地局２  ７２０から前記基地局７１０にハンドオーバしようとする端末に、最適化されたＴＴＴ値関連情報を提供するために「ＭＯＢＩＬＩＴＹ  ＣＨＡＮＧＥ  ＲＥＱＵＥＳＴ」メッセージを伝送する（ステップａ）。
【００７７】
即ち、前記メッセージには自らのセルに最適化されたＴＴＴ関連情報が含まれている。前記基地局２  ７２０は前記メッセージを受信してから前記ＴＴＴ値関連情報が受け入れられる値であるのか否かを判別する。
【００７８】
もし、前記基地局２  ７２０が受け入れられる値であると判断すると、前記基地局１  ７１０に応答メッセージである「ＭＯＢＩＬＩＴ  ＹＣＨＡＮＧＥ  ＡＣＫＮＯＷＬＥＧＥ」メッセージを伝達する（ステップｂ）。もし、前記基地局２  ７２０が要請されたＴＴＴ値関連情報を受け入れないと、「ＭＯＢＩＬＩＴＹ  ＣＨＡＮＧＥ  ＦＡＩＬＵＲＥ」メッセージを電気基地局１  ７１０に伝送する（ステップｂ）。
【００７９】
「ＭＯＢＩＬＩＴＹ  ＣＨＡＮＧ  ＥＲＥＱＵＥＳＴ」メッセージにＴＴＴ関連情報を以下のような２つの方法によって追加し得る。現在のＬＴＥ規格の前記メッセージ内には「ｅＮＢ２  Ｐｒｏｐｏｓｅｄ  Ｍｏｂｉｌｉｔｙ  Ｐａｒａｍｅｔｅｒｓ」というＩＥがあるが、これは前記メッセージに基地局１  ７１０が基地局２  ７２０に提案するハンドオーバに使用されるＭｏｂｉｌｉｔｙ関連パラメータ情報である「Ｍｏｂｉｌｉｔｙ  Ｐａｒａｍｅｔｅｒｓ  Ｉｎｆｏｒｍａｔｉｏｎ」というＩＥが含まれることを示しており、下記表１のようである。
【００８０】
【表１】
0005580476.tif 000003
【００８１】
ここで、ハンドオーバトリガーチェインジはこの臨界値に対する変更値を意味する。
【００８２】
本発明において、ＴＴＴ関連情報を伝達する方案は２つがある。
【００８３】
第一、ＴＴＴ関連情報をｄＢ値で表現して交渉する方案について説明すると以下のようである。
【００８４】
前記方案は、従来存在するハンドオーバトリガーチェインジを臨界値だけでなくＴＴＴも示すようにする方案である。そのため、本発明ではＭｏｂｉｌｉｔｙ  Ｐａｒａｍｅｔｅｒｓ  Ｉｎｆｏｍａｔｉｏｎ  ＩＥに「Ｈａｎｄｏｖｅｒ  Ｔｒｉｇｇｅｒ  Ｔｙｐｅ」  ＩＥを追加することを提案する。よって、それを反映したＭｏｂｉｌｉｔｙ  Ｐａｒａｍｅｔｅｒｓ  Ｉｎｆｏｍａｔｉｏｎ  ＩＥは下記表２のようである。
【００８５】
【表２】
0005580476.tif 000004
【００８６】
例えば、基地局１  ７１０が基地局２  ７２０にＭＯＢＩＬＩＴＹ  ＣＨＡＮＧＥ  ＲＥＱＵＥＳＴメッセージのＰｒｏｐｏｓｅｄ  Ｍｏｂｉｌｉｔｙ  Ｐａｒａｍｅｔｅｒｓに当たるＭｏｂｉｌｉｔｙ  Ｉｎｆｏｒｍａｔｉｏｎ  ＩＥにハンドオーバトリガーチェインジ（Ｈａｎｄｏｖｅｒ  Ｔｒｉｇｇｅｒ  Ｃｈａｎｇｅ）を「−３ｄＢ」と設定し、Ｈａｎｄｏｖｅｒ  Ｔｒｉｇｇｅｒ  Ｔｙｐｅとして「Ｔｉｍｅ  Ｔｏ  Ｔｒｉｇｇｅｒ」を設定して伝送する。基地局２  ７２０がそれを受け入れると、基地局２  ７２０は基地局１  ７１０に対するＴＴＴ値を現在より０．５倍減らすことになる。
【００８７】
ＴＴＴ値に対するＬＴＥ規格では、ｍｓ０，ｍｓ４０，ｍｓ６４，ｍｓ８０，ｍｓ１００，ｍｓ１２８，ｍｓ１６０，ｍｓ２５６，ｍｓ３２０，ｍｓ４８０，ｍｓ５１２，ｍｓ６４０，ｍｓ１０２４，ｍｓ１２８０，ｍｓ２５６０，ｍｓ５１２０であり、ｄＢ値によってＴＴＴ値をどのように変更させるのかについては具現方式によって異なる。
【００８８】
第二、ＴＴＴ関連情報を絶対値で示して交渉方案について説明すると以下のようである。
【００８９】
前記方案は、Ｈａｎｄｏｖｅｒ  Ｔｒｉｇｇｅｒ  Ｃｈａｎｇｅについては臨界値に対しての変更値と仮定し、ＴＴＴに対しては絶対値を交渉し得るように新たなＩＥを追加する方案である。前記ＩＥはＴＴＴ  １ｍｓ，ＴＴＴ  ２ｍｓ，…，ＴＴＴｎ  ｍｓのうち一つの値に指定される。それを反映したＭｏｂｉｌｉｔｙ  Ｐａｒａｍｅｔｅｒｓ  Ｉｎｆｏｍａｔｉｏｎ  ＩＥは下記表３のようである。
【００９０】
【表３】
0005580476.tif 000005
【００９１】
図８は、本発明の実施例による基地局の移動性変更を示すフローチャートである。
【００９２】
前記図８を参照すると、基地局はＴＴＴ又は臨界値（Ｈａｎｄｏｖｅｒ  Ｔｒｉｇｇｅｒ  Ｔｈｒｅｓｈｏｌｄ）値を伝送するイベントが発生する場合（ステップ８１０）、隣接基地局（該当基地局）に前記ＴＴＴ値又は臨界値（Ｈａｎｄｏｖｅｒ  Ｔｒｉｇｇｅｒ  Ｔｈｒｅｓｈｏｌｄ）値を伝送する（ステップ８２０）。
【００９３】
ここで、伝送するイベントは該当基地局に対する前記ＴＴＴ又は臨界値（Ｈａｎｄｏｖｅｒ  Ｔｒｉｇｇｅｒ  Ｔｈｒｅｓｈｏｌｄ）が変更された場合であってもよく、新たな基地局が追加され、新たな基地局が伝送する場合などであってもよい。
【００９４】
本発明の実施例は、ＬＴＥシステムにおけるサービング基地局が端末に隣接基地局別に独立的なＴＴＴ（Ｔｉｍｅ−ｔｏ−Ｔｒｉｇｇｅｒ）及びティリセレクション値を伝達し得る方案を提案する。
【００９５】
図９は、本発明の実施例によるサービング基地局が端末に隣接基地局別に独立的なＴＴＴ及びティリセレクション値を伝達するメッセージフローチャートである。
【００９６】
前記図９を参照すると、基地局９１０はアクティブモード又はアイドルモード端末９２０にＴＴＴ又はＴＴＴ＿ＳＦ／ティリセレクション又はティリセレクション−ＳＦを伝送する（ステップａ）。それについては詳しく後述する。
【００９７】
図１０は、本発明の実施例によるサービング基地局が端末に隣接基地局別に独立的なＴＴＴ及びティリセレクション値を伝達するフローチャートである。
【００９８】
前記図１０を参照すると、サービング基地局は対象がアクティブモード端末であり（ステップ１０１０）、セルタイプによって区分する場合（ステップ１０１５）、特定のセルタイプに属する隣接セル別に独立的なＴＴＴ値又はＴＴＴ＿ＳＦ値を設定して伝送する（ステップ１０２５）。
【００９９】
サービング基地局は対象がアクティブモード端末であり（ステップ１０１０）、セルタイプによって区分しない場合（ステップ１０１５）、特定の隣接セル別に独立的なＴＴＴ値又はＴＴＴ＿ＳＦ値を設定して伝送する（ステップ１０２０）。
【０１００】
サービング基地局は対象がアクティブモード端末ではなくアイドルモード端末あり（ステップ１０１０）、セルタイプによって区分する場合（ステップ１０３０）、特定のセルタイプに属する隣接セル別に独立的なティリセレクション値又はＴｒｅｓｅｌｅｃｔｉｏｎ＿ＳＦ値を設定して伝送する（ステップ１０４０）。
【０１０１】
サービング基地局は対象がアクティブモード端末であり（ステップ１０１０）、セルタイプによって区分しない場合（ステップ１０３０）、特定の隣接セル別に独立的なティリセレクション値又はティリセレクション＿ＳＦ値を設定して伝送する（ステップ１０３５）。
【０１０２】
（１）基地局がアクティブモード端末に隣接基地局別に独立的なＴＴＴ値を伝達する方案について説明すると以下のようである。
【０１０３】
表４は、本発明の実施例による特定の隣接セル別に独立的なＴＴＴ値を設定する場合を示すものである。特定の隣接セル別に独立的なＴＴＴ値を設定する方案１−１に関するものであり、関連技術のＬＴＥシステムで「ＭｅａｓＯｂｊｅｃｔＥＵＴＲＡ」  ＩＥはアクティブモード端末が隣接セルをメジャメントする際必要な情報を含む。
【０１０４】
【表４】
0005580476.tif 000006
【０１０５】
「ＭｅａｓＯｂｊｅｃｔＥＵＴＲＡ」  ＩＥに赤色で記された「ＣｅｌｌＩｎｄｉｖｉｄｕａｌＴｉｍｅＴｏＴｒｉｇｇｅｒ」フィールドを追加する。前記追加した「ＣｅｌｌＩｎｄｉｖｉｄｕａｌＴｉｍｅＴｏＴｒｉｇｇｅｒ」フィールドは、特定の隣接セルに適用されるＣｅｌｌ  Ｉｎｄｉｖｉｄｕａｌ  ＴＴＴ値を意味する。
前記「ＣｅｌｌＩｎｄｉｖｉｄｕａｌＴｉｍｅＴｏＴｒｉｇｇｅｒ」フィールドは、従来の「ＣｅｌｌＩｎｄｉｖｉｄｕａｌＯｆｆｓｅｔ」フィールドと類似して隣接セル別に独立的に適用されるメジャメントレポートトリガリングに関するパラメータとなる。従って、端末は隣接基地局別に独立的なＴＴＴ値を適用することができ、ＣｅｌｌＩｎｄｉｖｉｄｕａｌＴｉｍｅＴｏＴｒｉｇｇｅｒは下記表５のようである。
【０１０６】
【表５】
0005580476.tif 000007
【０１０７】
表６は、本発明の実施例による特定の隣接セル別に独立的なＴＴＴ−ＳＦ値を設定するが従来の端末速度状態を考慮して設定されたＳＦ値を適用して設定する場合を示すものである。特定の隣接セル別に独立的なＴＴＴ−ＳＦ値を設定する方案１−２に関するものである。
【０１０８】
【表６】
0005580476.tif 000008
【０１０９】
現在の関連技術のＬＴＥ規格では、端末の速度によって「Ｓｐｅｅｄ−ｄｅｐｅｎｄｅｎｔ」なＳｃａｌｉｎｇＦａｃｔｏｒ（以下、ＳＦ）を適用している。
【０１１０】
アクティブモード端末が高い移動性及び中間程度の移動性を有する場合、それぞれｓｆ−Ｈｉｇｈ値及びｓｆ−Ｍｅｄｉｕｍ値をＴＴＴにかけて適用する。
【０１１１】
従って、端末の速度が速い場合、元に与えられたＴＴＴ値より小さいＴＴＴ値を適用し得る。それは、端末の速度が速ければＴＴＴを小さく設定するとハンドオーバに成功する確率が高くなるためである。
【０１１２】
このような方案では、現在のＬＴＥ規格に示されている端末速度状態を考慮して設定されたＳＦ値をそのまま再使用し適用してもよく、別途にＳＦ値を新たに設定してもよい。
【０１１３】
特に、前記表６は従来の端末速度状態を考慮して設定されたＳＦ値を適用して設定する方案１−２−１に関するものであり、「ＭｅａｓＯｂｊｅｃｔＥＵＴＲＡ」  ＩＥにハイライトされた「ＣｅｌｌＩｎｄｉｖｉｄｕａｌＴｉｍｅＴｏＴｒｉｇｇｅｒ−ＳＦ」フィールドを追加する。
【０１１４】
前記追加した「ＣｅｌｌＩｎｄｉｖｉｄｕａｌＴｉｍｅＴｏＴｒｉｇｇｅｒ−ＳＦ」フィールドは、特定の隣接セルに適用されるＣｅｌｌ  Ｉｎｄｉｖｉｄｕａｌ  ＴＴＴ−ＳＦ値を意味する。特定の隣接セルである場合、前記ＳＦ値を元に与えられたＴＴＴ値にかけてＴＴＴ値を短く設定し得る。
【０１１５】
ここで、表６は関連技術のＬＴＥ規格に示されている端末速度状態を考慮して設定されたＳＦ値である「ＳｐｅｅｄＳｔａｔｅＳｃａｌｅＦａｃｔｏｒｓ」  ＩＥをそのまま適用する。そして、ＣｅｌｌＩｎｄｉｖｉｄｕａｌＴｉｍｅＴｏＴｒｉｇｇｅｒ−ＳＦは下記表７のようである。
【０１１６】
【表７】
0005580476.tif 000009
【０１１７】
表８は本発明の実施例による特定のｎｅｉｂｏｒｉｎｇ  ｃｅｌｌ別に独立的なＴＴＴ−ＳＦ値を設定するが別途のＳＦ値を新たに設定する場合１−２−２を示したものであり、「ＭｅａｓＯｂｊｅｃｔＥＵＴＲＡ」  ＩＥにハイライトされた「ＣｅｌｌＩｎｄｉｖｉｄｕａｌＴｉｍｅＴｏＴｒｉｇｇｅｒ−ＳＦ」フィールドを追加する。
【０１１８】
【表８】
0005580476.tif 000010
【０１１９】
前記追加した「ＣｅｌｌＩｎｄｉｖｉｄｕａｌＴｉｍｅＴｏＴｒｉｇｇｅｒ−ＳＦ」フィールドは、特定の隣接セルに適用されるセル独立的なＴＴＴ−ＳＦ値を意味する。特定の隣接セルである場合、前記ＳＦ値を元に与えられたＴＴＴ値にかけてＴＴＴ値を短く設定し得る。
【０１２０】
ここで、図８では本発明の実施例で新たに定義されたスケーリングファクタに関するＩＥである「ＣｅｌｌＩｎｄｉｖｉｄｕａｌＳｃａｌｅＦａｃｔｏｒｓ」  ＩＥを使用し、ＣｅｌｌＩｎｄｉｖｉｄｕａｌＴｉｍｅＴｏＴｒｉｇｇｅｒ−ＳＦは下記表９のようである。
【０１２１】
【表９】
0005580476.tif 000011
【０１２２】
そして、「ＣｅｌｌＩｎｄｉｖｉｄｕａｌＳｃａｌｅＦａｃｔｏｒｓ」  ＩＥは以下のようである。
【０１２３】
【数２】
0005580476.tif 000012
【０１２４】
ここで、ｘ＿１，ｘ＿２，…，ｘ＿ｎ値は０〜１の間の値でマッピングされる。
【０１２５】
表１０は、本発明の実施例による特定のセルタイプに属する隣接セル別に独立的なＴＴＴ値を「ＭｅａｓＯｂｊｅｃｔＥＵＴＲＡ」  ＩＥ設定する方案を示すものである。前記表１０は特定のセルタイプに属する隣接セル別に独立的なＴＴＴ値を設定する方案１−３に関するものであり、特定のセルタイプに属する隣接セル別に独立的なＴＴＴ値を「ＭｅａｓＯｂｊｅｃｔＥＵＴＲＡ」  ＩＥに設定１−３−１し得る。
【０１２６】
【表１０】
0005580476.tif 000013
【０１２７】
まず、「ＭｅａｓＯｂｊｅｃｔＥＵＴＲＡ」  ＩＥに設定する場合を考慮すると、「ＭｅａｓＯｂｊｅｃｔＥＵＴＲＡ」  ＩＥにハイライトされた「ＣｅｌｌＴｙｐｅＬｉｓｔ」フィールドを新たに提案する。前記フィールドはセルタイプが異なるＰＣＩ範囲ごとに互いに異なるＴＴＴ値を有するように設計されており、ここでセルタイプリストは下記表１１のようである。
【０１２８】
【表１１】
0005580476.tif 000014
【０１２９】
表１２は、本発明の実施例による特定のセルタイプに属する隣接セル別に独立的なＴＴＴ値を「ＲｅｐｏｒｔＣｏｎｆｉｇＥＵＴＲＡ」  ＩＥ設定する方案を示すものである。
【０１３０】
特定のセルタイプに属する隣接セル別に独立的なＴＴＴ値を設定する方案１−３に関するものであり、特定のセルタイプに属する隣接セル別に独立的なＴＴＴ値を「ＲｅｐｏｒｔＣｏｎｆｉｇＥＵＴＲＡ」  ＩＥに設定１−３−２し得る。
【０１３１】
【表１２】
0005580476.tif 000015
【０１３２】
「ＲｅｐｏｒｔＣｏｎｆｉｇＥＵＴＲＡ」  ＩＥにハイライトされた「ＣｅｌｌＴｙｐｅＬｉｓｔ」フィールドを新たに提案する。前記フィールドはセルタイプが異なるＰＣＩ  ｒａｎｇｅごとに互いに異なるＴＴＴ値を有するように設計されており、ここでセルタイプリストは下記表１３のようである。
【０１３３】
【表１３】
0005580476.tif 000016
【０１３４】
表１４は、本発明の実施例による特定のセルタイプに属する隣接セル別に独立的なＴＴＴ−ＳＦ値を、「ＭｅａｓＯｂｊｅｃｔＥＵＴＲＡ」  ＩＥに従来の端末速度状態を考慮して設定されたＳＦ値を適用して設定する場合を示すものである。
【０１３５】
【表１４】
0005580476.tif 000017
【０１３６】
前記表１４は特定のセルタイプに属する隣接セル別に独立的なＴＴＴ−ＳＦ値を設定する方案1−４に関するものであり、特定のセルタイプに属する隣接セル別に独立的なＴＴＴ−ＳＦ値は「ＭｅａｓＯｂｊｅｃｔＥＵＴＲＡ」  ＩＥ１−４−１又は「ＲｅｐｏｒｔＣｏｎｆｉｇＥＵＴＲＡ」  ＩＥ1−４−２に設定し得る。
【０１３７】
前記表１４では、「ＭｅａｓＯｂｊｅｃｔＥＵＴＲＡ」  ＩＥにハイライトされた「ＣｅｌｌＴｙｐｅＬｉｓｔ」フィールドを新たに提案する。前記フィールドはセルタイプが異なるＰＣＩ  ｒａｎｇｅごとに互いに異なるＴＴＴ−ＳＦ値を有するように設計されている。
【０１３８】
このような方案１−４−１においても、前記方案１−２と類似して現在のＬＴＥ規格に示されている端末速度状態を考慮して設定されたＳＦ値をそのまま再使用して適用してもよい１−４−１−１。ここで、Ｃｅｌｌ  ｔｙｐｅ  ｌｉｓｔは下記表１５のようである。
【０１３９】
【表１５】
0005580476.tif 000018
【０１４０】
表１６は、本発明の実施例による特定のセルタイプに属する隣接セル別に独立的なＴＴＴ−ＳＦ値を「ＭｅａｓＯｂｊｅｃｔＥＵＴＲＡ」  ＩＥに別途のＴＴＴ−ＳＦ値を新たに設定する場合を示すものである。
【０１４１】
【表１６】
0005580476.tif 000019
【０１４２】
前記表１６は特定のセルタイプに属する隣接セル別に独立的なＴＴＴ−ＳＦ値を設定する方案に関するものであり、特定のセルタイプに属する隣接セル別に独立的なＴＴＴ−ＳＦ値は「ＭｅａｓＯｂｊｅｃｔＥＵＴＲＡ」  ＩＥ１−４−１又は「ＲｅｐｏｒｔＣｏｎｆｉｇＥＵＴＲＡ」  ＩＥ1−４−２に設定し得る。
【０１４３】
表１６では、「ＭｅａｓＯｂｊｅｃｔＥＵＴＲＡ」  ＩＥにハイライトされた「Ｃｅｌｌ  Ｔｙｐｅ  Ｌｉｓｔ」フィールドを新たに提案する。前記フィールドはセルタイプが異なるＰＣＩ  ｒａｎｇｅごとに互いに異なるＴＴＴ−ＳＦ値を有するように設計されている。
【０１４４】
このような方案１−４−１においても、前記方案１−２と類似して現在のＬＴＥ規格に示されている端末速度状態を考慮して別途にＳＦ値を新たに設定してもよい１−４−１−２。ここで、セルタイプリストは下記表１７のようである。
【０１４５】
【表１７】
0005580476.tif 000020
【０１４６】
ここで、ｘ＿１，ｘ＿２，…，ｘ＿ｎ値は０〜１の間の値でマッピングされる。
【０１４７】
表１８は、本発明の実施例による特定のセルタイプに属する隣接セル別に独立的なＴＴＴ−ＳＦ値を、「ＲｅｐｏｒｔＣｏｎｆｉｇＥＵＴＲＡ」  ＩＥに従来の端末速度状態を考慮して設定されたＳＦ値を適用して設定する場合を示すものである。
【０１４８】
これは特定のセルタイプに属する隣接セル別に独立的なＴＴＴ−ＳＦ値を設定する方案1−４に関するものであり、特定のセルタイプに属する隣接セル別に独立的なＴＴＴ−ＳＦ値は「ＭｅａｓＯｂｊｅｃｔＥＵＴＲＡ」  ＩＥ１−４−１又は「ＲｅｐｏｒｔＣｏｎｆｉｇＥＵＴＲＡ」  ＩＥ1−４−２に設定し得る。
【０１４９】
【表１８】
0005580476.tif 000021
【０１５０】
前記表１８で、本発明は「ＲｅｐｏｒｔＣｏｎｆｉｇＥＵＴＲＡ」  ＩＥにハイライトされた「ＣｅｌｌＴｙｐｅＬｉｓｔ」フィールドを新たに提案する。前記フィールドはセルタイプが異なるＰＣＩ範囲ごとに互いに異なるＴＴＴ−ＳＦ値を有するように設計されている。
【０１５１】
このような方案１−４−２においても、前記方案１−２と類似して現在のＬＴＥ規格に示されている端末速度状態を考慮して設定されたＳＦ値をそのまま再使用して適用してもよい１−４−２−１。ここで、セルタイプリストは下記表１９のようである。
【０１５２】
【表１９】
0005580476.tif 000022
【０１５３】
表２０は、本発明の実施例による特定のセルタイプに属する隣接セル別に独立的なＴＴＴ−ＳＦ値を「ＲｅｐｏｒｔＣｏｎｆｉｇＥＵＴＲＡ」  ＩＥに別途のＴＴＴ−ＳＦ値を新たに設定する場合を示すものである。
【０１５４】
特定のセルタイプに属する隣接セル別に独立的なＴＴＴ−ＳＦ値を設定する方案１−４に関するものであり、特定のセルタイプに属する隣接セル別に独立的なＴＴＴ−ＳＦ値は「ＭｅａｓＯｂｊｅｃｔＥＵＴＲＡ」  ＩＥ１−４−１又は「ＲｅｐｏｒｔＣｏｎｆｉｇＥＵＴＲＡ」  ＩＥ1−４−２に設定し得る。
【０１５５】
【表２０】
0005580476.tif 000023
【０１５６】
表２０のように、「ＲｅｐｏｒｔＣｏｎｆｉｇＥＵＴＲＡ」  ＩＥにハイライトされた「ＣｅｌｌＴｙｐｅＬｉｓｔ」フィールドを新たに提案する。前記フィールドはセルタイプが異なるＰＣＩ  ｒａｎｇｅごとに互いに異なるＴＴＴ−ＳＦ値を有するように設計されている。
【０１５７】
このような方案１−４−２においても、前記方案１−２と類似して現在のＬＴＥ規格に示されている端末速度状態を考慮して別途にＳＦ値を新たに設定してもよい１−４−２−２。ここで、セルタイプリストは下記表２１のようである。
【０１５８】
【表２１】
0005580476.tif 000024
【０１５９】
ここで、ｘ＿１，ｘ＿２，…，ｘ＿ｎ値は０〜１の間の値でマッピングされる。
【０１６０】
（２）基地局がアイドルモード端末に隣接基地局別に独立的なティリセレクション値を伝達する方案について説明すると以下のようである。
【０１６１】
表２２は、本発明の実施例による特定の隣接セル別に独立的なティリセレクション値を設定する場合を示すものである。
【０１６２】
特定の隣接セル別に独立的なティリセレクション値を設定する場合２−１に関するものであり、ＬＴＥ規格において基地局はアイドルモード端末にＳｙｓｔｅｍＩｎｆｏｒｍａｔｉｏｎＢｌｏｃｋ３（以下、ＳＩＢ３）を介してティリセレクション値を伝達し得る。
【０１６３】
【表２２】
0005580476.tif 000025
【０１６４】
一般に、ＳＩＢ３にはイントラフリケンシ／インターフリケンシ／インターラット（Ｉｎｔｅｒ−ｆｒｅｑｕｅｎｃｙ／Ｉｎｔｅｒ−ｆｒｅｑｕｅｎｃｙ／Ｉｎｔｅｒ−ＲＡＴ）セルリセレクションを問わずにセルリセレクションを行うための共通情報が含まれている。
【０１６５】
本方案２−１では、アイドルモード端末が受信し得るいかなるＳＩＢにも制限を受けないが、実施例として現在のティリセレクション値が含まれたＳＩＢ３に設定することにする。
【０１６６】
図面のように、ＳＩＢ３に赤色で記された「ＣｅｌｌＩｎｄｉｖｉｄｕａｌＩｎｆｏＬｉｓｔ」フィールドを新たに提案する。前記「ＣｅｌｌＩｎｄｉｖｉｄｕａｌＩｎｆｏＬｉｓｔ」フィールドには、Ｎ個の「ＣｅｌｌＩｎｄｉｖｉｄｕａｌＩｎｆｏ」が設定されている。
【０１６７】
前記「ＣｅｌｌＩｎｄｉｖｉｄｕａｌＩｎｆｏ」フィールド内には各隣接セルごとに独立的なティリセレクション値である「ＣｅｌｌＩｎｄｉｖｉｄｕａｌ−ｔ−Ｒｅｓｅｌｅｃｔｉｏｎ」フィールドが設定されており、ＰｈｙＣｅｌｌＩｄとＣｅｌｌＩｎｄｉｖｉｄｕａｌ−ｔ−ＲｅｓｅｌｅｃｔｉｏｎＥＵＴＲＡは下記表２３のようである。
【０１６８】
【表２３】
0005580476.tif 000026
【０１６９】
表２４は、本発明の実施例による特定の隣接セル別に独立的なティリセレクション−ＳＦ値に従来の端末速力を考慮して設定されたＳＦ値を適用して設定する場合を示すものである。
【０１７０】
特定の隣接セル別に独立的なティリセレクション−ＳＦ値を設定する方案２−２に関するものであり、ＴＴＴ−ＳＦと同じく、現在のＬＴＥ規格では端末の速度によって「Ｓｐｅｅｄ−ｄｅｐｅｎｄｅｎｔ」なスケーリングファクタ（以下、ＳＦ）を適用している。
【０１７１】
【表２４】
0005580476.tif 000027
【０１７２】
アイドルモード端末が高速及び中間程度の移動性を有する場合、それぞれｓｆ−Ｈｉｇｈ値及びｓｆ−Ｍｅｄｉｕｍ値をティリセレクション値にかけて適用する。従って、端末の速度が速い場合、元に与えられたティリセレクション値より小さいティリセレクション値を適用し得る。
【０１７３】
前記方案２−２ではＬＴＥ規格に示されているアイドルモード端末速度状態を考慮して設定されたＳＦ値を適用２−２−１してもよく、別途にＳＦ値を新たに設定２−２−２してもよい。
【０１７４】
そして、アイドルモード端末が受信し得るいかなるＳＩＢであってもよいが、実施例として現在のティリセレクション−ＳＦ値が含まれたＳＩＢ３に設定することにする。
【０１７５】
図面のように、ＳＩＢ３に赤色で記された「ＣｅｌｌＩｎｄｉｖｉｄｕａｌＩｎｆｏＬｉｓｔ」フィールドを新たに提案する。前記「ＣｅｌｌＩｎｄｉｖｉｄｕａｌＩｎｆｏＬｉｓｔ」フィールドには、Ｎ個の「ＣｅｌｌＩｎｄｉｖｉｄｕａｌＩｎｆｏ」が設定されている。
【０１７６】
前記「ＣｅｌｌＩｎｄｉｖｉｄｕａｌＩｎｆｏ」フィールド内には各隣接セルごとに独立的なティリセレクション−ＳＦ値である「ＣｅｌｌＩｎｄｉｖｉｄｕａｌ−ｔ−Ｒｅｓｅｌｅｃｔｉｏｎ」フィールドが設定されている。
【０１７７】
前記追加した「ＣｅｌｌＩｎｄｉｖｉｄｕａｌ−ｔ−Ｒｅｓｅｌｅｃｔｉｏｎ−ＳＦ」フィールドは、特定の隣接セルに適用されるＣｅｌｌ  Ｉｎｄｉｖｉｄｕａｌ  Ｔｒｅｓｅｌｅｃｔｉｏｎ−ＳＦ値を意味する。特定の隣接セルである場合、前記ＳＦ値を元に与えられたティリセレクション値にかけてＴＴＴ値を短く設定し得る。
【０１７８】
ここでは、ＬＴＥ規格に示されている端末速度状態を考慮して設定されたＳＦ値である「ＳｐｅｅｄＳｔａｔｅＳｃａｌｅＦａｃｔｏｒｓ」  ＩＥをそのまま適用する２−２−１。ここで、ＰｈｙＣｅｌｌＩｄとＣｅｌｌＩｎｄｉｖｉｄｕａｌ−ｔ−ＲｅｓｅｌｅｃｔｉｏｎＥＵＴＲＡ−ＳＦは下記表２５のようである。
【０１７９】
【表２５】
0005580476.tif 000028
【０１８０】
表２６は、本発明の実施例による特定の隣接セル別に独立的なティリセレクション−ＳＦ値に別途のＳＦ値を新たにを設定する場合を示すものである。
【０１８１】
別途のＳＦ値を新たに設定する場合、ＳＩＢ３にハイライトされた「ＣｅｌｌＩｎｄｉｖｉｄｕａｌＩｎｆｏＬｉｓｔ」フィールドを新たに提案する。
【表２６】
0005580476.tif 000029
【０１８２】
前記「ＣｅｌｌＩｎｄｉｖｉｄｕａｌＩｎｆｏＬｉｓｔ」フィールドには、Ｎ個の「ＣｅｌｌＩｎｄｉｖｉｄｕａｌＩｎｆｏ」が設定されている。前記「ＣｅｌｌＩｎｄｉｖｉｄｕａｌＩｎｆｏ」フィールド内には各隣接セルごとに独立的なＴｒｅｓｅｌｅｃｔｉｏｎ−ＳＦ値である「ＣｅｌｌＩｎｄｉｖｉｄｕａｌ−ｔ−Ｒｅｓｅｌｅｃｔｉｏｎ−ＳＦ」フィールドが設定されている。
【０１８３】
前記追加した「ＣｅｌｌＩｎｄｉｖｉｄｕａｌ−ｔ−Ｒｅｓｅｌｅｃｔｉｏｎ−ＳＦ」フィールドは、特定の隣接セルに適用されるＣｅｌｌ  Ｉｎｄｉｖｉｄｕａｌ  Ｔｒｅｓｅｌｅｃｔｉｏｎ−ＳＦ値を意味する。特定の隣接セルである場合、前記ＳＦ値を元に与えられたティリセレクション値にかけてＴＴＴ値を短く設定し得る。
【０１８４】
ここでは、新たに定義されたＳｃａｌｅ  Ｆａｃｔｏｒ関連ＩＥである「ＣｅｌｌＩｎｄｉｖｉｄｕａｌＳｃａｌｅＦａｃｔｏｒ」を使用する２−２−２。ここで、ＰｈｙＣｅｌｌＩｄとＣｅｌｌＩｎｄｉｖｉｄｕａｌ−ｔ−ＲｅｓｅｌｅｃｔｉｏｎＥＵＴＲＡ−ＳＦは下記表２７のようである。
【０１８５】
【表２７】
0005580476.tif 000030
【０１８６】
ここで、ｘ＿１，ｘ＿２，…，ｘ＿ｎ値は０〜１の間の値でマッピングされる。
【０１８７】
表２８は、本発明の実施例による特定のセルタイプに属する隣接セル別に独立的なティリセレクション値を設定する場合を示すものである。
【０１８８】
特定のセルタイプに属する隣接セル別に独立的なティリセレクション値を設定する方案２−３に関するものであり、アイドルモード端末が受信し得るいかなるＳＩＢにも制限を受けないが、実施例として現在のティリセレクション値が含まれたＳＩＢ３に設定することにする。
【０１８９】
【表２８】
0005580476.tif 000031
【０１９０】
表２８では、ＳＩＢ３にハイライトされた「ＣｅｌｌＩｎｄｉｖｉｄｕａｌＩｎｆｏＬｉｓｔ」フィールドを新たに提案する。前記「ＣｅｌｌＩｎｄｉｖｉｄｕａｌＩｎｆｏＬｉｓｔ」フィールドには、Ｎ個の「ＣｅｌｌＩｎｄｉｖｉｄｕａｌＩｎｆｏ」が設定されている。
【０１９１】
前記「ＣｅｌｌＩｎｄｉｖｉｄｕａｌＩｎｆｏ」フィールド内には特定のセルタイプであるＰＣＩ範囲ごとに独立的なティリセレクション値である「ＣｅｌｌＩｎｄｉｖｉｄｕａｌ−ｔ−ＲｅｓｅｌｅｃｔｉｏｎＥＵＴＲＡ」フィールドが設定されている。ＰｈｙＣｅｌｌＩｄＲａｎｇｅとＣｅｌｌＩｎｄｉｖｉｄｕａｌ−ｔ−ＲｅｓｅｌｅｃｔｉｏｎＥＵＴＲＡは下記表２９のようである。
【０１９２】
【表２９】
0005580476.tif 000032
【０１９３】
表３０は、本発明の実施例による特定のセルタイプに属する隣接セル別にティリセレクション−ＳＦ値を、従来の端末速力を考慮して設定されたＳＦ値を適用して設定する場合を示すものである。
【０１９４】
特定のセルタイプに属する隣接セル別に独立的なティリセレクション−ＳＦ値を設定する方案２−４であり、アイドルモード端末が受信し得るいかなるＳＩＢであってもよいが、実施例として現在のティリセレクション値が含まれたＳＩＢ３に設定する。前記方案２−４には、従来の端末速度状態を考慮して設定されたＳＦ値を適用して設定する方案２−４−１を考慮し得る。
【０１９５】
【表３０】
0005580476.tif 000033
【０１９６】
前記表３０のように、ＳＩＢ３にハイライトされた「ＣｅｌｌＩｎｄｉｖｉｄｕａｌＩｎｆｏＬｉｓｔ」フィールドを新たに提案する。前記「ＣｅｌｌＩｎｄｉｖｉｄｕａｌＩｎｆｏＬｉｓｔ」フィールドには、Ｎ個の「ＣｅｌｌＩｎｄｉｖｉｄｕａｌＩｎｆｏ」が設定されている。
【０１９７】
前記「ＣｅｌｌＩｎｄｉｖｉｄｕａｌＩｎｆｏ」フィールド内には特定のセルタイプであるＰＣＩ範囲ごとに独立的なティリセレクション値である「ＣｅｌｌＩｎｄｉｖｉｄｕａｌ−ｔ−ＲｅｓｅｌｅｃｔｉｏｎＥＵＴＲＡ」フィールドが設定されている。
【０１９８】
前記追加した「ＣｅｌｌＩｎｄｉｖｉｄｕａｌ−ｔ−Ｒｅｓｅｌｅｃｔｉｏｎ−ＳＦ」フィールドは、特定の隣接セルに適用されるＣｅｌｌ  Ｉｎｄｉｖｉｄｕａｌ  Ｔｒｅｓｅｌｅｃｔｉｏｎ−ＳＦ値を意味する。特定の隣接セルである場合、前記ＳＦ値を元に与えられたティリセレクション値にかけてＴＴＴ値を短く設定し得る。
【０１９９】
ここで、ＬＴＥ規格に示されている端末速度状態を考慮して設定されたＳＦ値である「ＳｐｅｅｄＳｔａｔｅＳｃａｌｅＦａｃｔｏｒｓ」  ＩＥをそのまま適用する。ＰｈｙＣｅｌｌＩｄＲａｎｇｅとＣｅｌｌＩｎｄｉｖｉｄｕａｌ−ｔ−ＲｅｓｅｌｅｃｔｉｏｎＥＵＴＲＡ−ＳＦは下記表３１のようである。
【０２００】
【表３１】
0005580476.tif 000034
【０２０１】
表３２は、本発明の実施例による特定のセルタイプに属する隣接セル
別にティリセレクション−ＳＦ値を、従来の端末速力を考慮して別途のＳＦ値を新たに設定する場合を示すものである。
【０２０２】
特定のセルタイプに属する隣接セル別に独立的なティリセレクション−ＳＦ値を設定する方案２−４であり、アイドルモード端末が受信し得るいかなるＳＩＢであってもよいが、実施例として現在のティリセレクション値が含まれたＳＩＢ３に設定する。前記方案２−４には、従来の端末速度状態を考慮して別途のＳＦ値を新たに設定する場合２−４−２を考慮し得る。
【０２０３】
【表３２】
0005580476.tif 000035
【０２０４】
表３２に示したように、ＳＩＢ３にハイライトされた「ＣｅｌｌＩｎｄｉｖｉｄｕａｌＩｎｆｏＬｉｓｔ」フィールドを新たに提案する。
【０２０５】
前記「ＣｅｌｌＩｎｄｉｖｉｄｕａｌＩｎｆｏＬｉｓｔ」フィールドには、Ｎ個の「ＣｅｌｌＩｎｄｉｖｉｄｕａｌＩｎｆｏ」が設定されている。前記「ＣｅｌｌＩｎｄｉｖｉｄｕａｌＩｎｆｏ」フィールド内には特定のセルタイプであるＰＣＩ範囲ごとに独立的なティリセレクション値である「ＣｅｌｌＩｎｄｉｖｉｄｕａｌ−ｔ−ＲｅｓｅｌｅｃｔｉｏｎＥＵＴＲＡ」フィールドが設定されている。
【０２０６】
前記追加した「ＣｅｌｌＩｎｄｉｖｉｄｕａｌ−ｔ−Ｒｅｓｅｌｅｃｔｉｏｎ−ＳＦ」フィールドは、特定の隣接セルに適用されるＣｅｌｌ  Ｉｎｄｉｖｉｄｕａｌ  Ｔｒｅｓｅｌｅｃｔｉｏｎ−ＳＦ値を意味する。特定の隣接セルである場合、前記ＳＦ値を元に与えられたティリセレクション値にかけてＴＴＴ値を短く設定し得る。
【０２０７】
ここでは、新たに定義されたスケールファクタＩＥである「ＣｅｌｌＩｎｄｉｖｉｄｕａｌＳｃａｌｅＦａｃｔｏｒ」を使用する。ここで、ＰｈｙＣｅｌｌＩｄとＣｅｌｌＩｎｄｉｖｉｄｕａｌ−ｔ−ＲｅｓｅｌｅｃｔｉｏｎＥＵＴＲＡ−ＳＦは下記表３３のようである。
【０２０８】
【表３３】
0005580476.tif 000036
【０２０９】
ここで、ｘ＿１，ｘ＿２，…，ｘ＿ｎ値は０〜１の間の値でマッピングされる。
【０２１０】
図１１は、本発明の実施例による基地局及び端末のブロック構成を示す図である。
【０２１１】
前記図１１を参照すると、本発明による基地局（又は端末）はデュプレクサ１１００、ＲＦ受信機１１０２、ＡＤＣ１１０４、ＯＦＤＭ復調機１１０６、復号化機１１０８、メッセージ処理部１１１０、制御部１１１２、メッセージ生成部１１１４、符号化機１１１６、ＯＦＤＭ変調機１１１８、ＤＡＣ１１２０、ＲＦ送信機１１２２を含んで構成される。
【０２１２】
図１１を参照すると、まずデュプレクサ１１００はデュプレクス方式によってアンテナからの送信信号をＲＦ受信機１１０２に伝達し、ＲＦ送信機１１２２からの送信信号を前記アンテナを介して送信する。
【０２１３】
前記ＲＦ受信機１１０２は、前記デュプレクサ１１００からのＲＦ（Ｒａｄｉｏ  Ｆｒｅｑｕｅｎｃｙ）信号を基底帯域アナログ信号に変換する。ＡＤＣ１１０４は、前記ＲＦ受信機１１０２からのアナログ信号をサンプルデータとして変換して出力する。ＯＦＤＭ変調機１１０６は、前記ＡＤＣ１１０４で出力されるサンプルデータをＦＦＴ（Ｆａｓｔ  Ｆｏｕｒｉｅｒ  Ｔｒａｎｓｆｏｒｍ）して周波数領域のデータを出力する。
【０２１４】
復号化機１１０８は、前記ＯＦＤＭ復調機１１０６からの周波数領域のデータで受信使用する副搬送波のデータ（バーストデータ）を選択し、前記選択されたデータを予め決められた変調レベル（ＭＣＳレベル）に従って復調（ｄｅｍｏｄｕｌａｔｉｏｎ）及び復号（ｄｅｃｏｄｉｎｇ）して出力する。
【０２１５】
メッセージ処理部１１１０は、前記復号化機１１０８からのデータから所定単位のパケット（例：ＭＡＣ  ＰＤＵ）を検出し、前記検出されたパケットに対してヘッダ及びエラー検査を行う。この際、ヘッダ検査を介して制御メッセージであると判断されると、前記メッセージ処理部１１１０は規定された規格に従って制御メッセージを解釈し、その結果を制御部１１１２に提供する。即ち、前記メッセージ処理部１１１０は受信される制御メッセージから各種の制御情報を抽出して前記制御部１１１２に伝達する。
【０２１６】
前記制御部１１１２は、前記メッセージ処理部１１１０からの情報に基づいては該当処理を行う。また、前記制御部１１１２は制御メッセージの送信が必要な場合該当情報を生成してメッセージ生成部１１１４に提供する。前記メッセージ生成部１１１４は、前記制御部１１１２から提供される各種情報でメッセージを生成し、物理階層の符号化機１１１６に出力する。
【０２１７】
前記符号化機１１１６は、前記メッセージ生成部１１１４からのデータを予め決められた変調レベル（ＭＣＳレベル）に従って符号及び変調して出力する。ＯＦＤＭ変調機２６１８は、前記符号化機１１１６からのデータをＩＦＦＴ（Ｉｎｖｅｒｓｅ  Ｆａｓｔ  Ｆｏｕｒｉｅｒ  Ｔｒａｎｓｆｏｒｍ）してサンプルデータ（ＯＦＤＭシンボル）を出力する。ＤＡＣ１１２０は前記サンプルデータをアナログ信号に変換して出力する。前記ＲＦ送信機１１２２は、前記ＤＡＣ１１２０からのアナログ信号をＲＦ（Ｒａｄｉｏ  Ｆｒｅｑｕｅｎｃｙ）信号に変換してアンテナを介して送信する。
【０２１８】
上述した構成において、前記制御部１１１２はプロトコル制御部であり、前記メッセージ処理部１１１０、前記メッセージ生成部１１１４を制御する。即ち、前記制御部１１１２は前記メッセージ処理部１１１０、前記メッセージ生成部１１１４の機能を行い得る。本発明でそれらを別途に構成したのは、各機能を区別して説明するためである。従って、実際に具現する場合それら全てを制御部１１１２で処理するように構成してもよく、それらのうち一部のみ前記制御部１１１２で処理するように構成してもよい。
【０２１９】
それでは、前記図１１の構成に基づいて基地局及び端末の動作をそれぞれ説明する。
【０２２０】
まず基地局を説明すると、前記制御部１１１２は、上述したように隣接基地局に自らのＴＴＴ及びハンドオーバトリガー臨界値を生成又は貯蔵部（図示せず）から読み出して前記メッセージ生成部１１１４に提供する。前記メッセージ生成部１１１４は、前記該当メッセージを生成して前記符号化機１１１６に出力する。前記制御部１１１２は前記メッセージ処理部１１１０から本発明の制御メッセージ（ＩＥ）を受信した場合、該当処理を行う。
【０２２１】
または、前記制御部１１１２は端末に伝送するための本発明の情報であるＴＴＴ、ＴＴＴ−ＳＦ、ティリセレクション、ティリセレクション−ＳＦなどの情報を生成又は貯蔵部（図示せず）から読み出して前記メッセージ生成部１１１４に提供する。前記メッセージ生成部１１１４は該当メッセージを生成して前記符号化機１１１６に出力する。
【０２２２】
以下、端末について説明すると、前記制御部１１１２は前記メッセージ処理部１１１０からＴＴＴ、ＴＴＴ−ＳＦ、ティリセレクション、ティリセレクション−ＳＦなどを受信する場合、前記情報を前記端末がハンドオーバ又はセルリセレクションする際適用して動作するようにする。
【０２２３】
以下、本発明の性能分析を説明する。ここで言及されるＨｏｔｚｏｎｅセルはマイクロセルと同じである。
【０２２４】
図１２は本発明の実施例による負荷ファクタ５０%、ＵＬ（Ｉｎｔｅｒｏｐｅｒａｂｉｌｉｔｙ  Ｔｅｓｔ）ｌｏＴ  ５ｄＢである場合、ハンドオーバ失敗割合の結果を示すグラフであり、図１３は本発明の実施例によるファクタ５０%、ＵＬ  ｌｏＴ  ７ｄＢである場合、ＨＯ  Ｆａｉｌ  Ｒａｔｉｏの結果を示す図である。
【０２２５】
前記図１２を参照すると、システム運用の定義上受け入れられるＨＯ  Ｆａｉｌ  Ｒａｔｉｏは２％であるため、前記性能グラフで確認し得ることはダウンリンク５０％Ｌｏａｄ環境ではマクロからマクロへのＴＴＴとＣＩＯをそれぞれ８０ｍｓ〜１６０ｍｓ、ＣＩＯ＝１〜３ｄＢに設定することが最適パラメータである一方、マクロからマイクロへの環境ではＴＴＴとＣＩＯをそれぞれ０ｍｓ〜８０ｍｓとＣＩＯ＝１〜３ｄＢに設定することが最適パラメータであることが分かる。
【０２２６】
前記図１３を参照すると、１００％Ｌｏａｄ環境ではマクロからマクロへのＴＴＴとＣＩＯをそれぞれ４０ｍｓ、ＣＩＯ＝１ｄＢに設定することが最適パラメータである一方、マクロからマイクロへの環境ではＴＴＴとＣＩＯをそれぞれ０ｍｓとＣＩＯ＝１〜３ｄＢに設定することが最適パラメータであることが分かる。
【０２２７】
本発明は、端末がマクロ／マイクロセル間ハンドオーバを行う際安定的なハンドオーバの成功を支援し得るように基地局間のＴＴＴ関連情報を交渉するため、マクロ／マイクロセル間ハンドオーバ成功率を向上させ得る利点がある。
【０２２８】
また、本発明では、ＬＴＥシステムにおけるマクロ／マイクロセル間安定的なハンドオーバを行うために、サービング基地局がアクティブモード端末に特定の隣接基地局別に独立的なＴＴＴ値を伝達し得る利点がある。
【０２２９】
更に、本発明では、ＬＴＥシステムにおけるマクロ／マイクロセル間安定的なセルリセレクションを行うために、基地局がアイドルモード端末に特定のセルタイプに属する隣接セル別に独立的なティリセレクション値を伝達し得る方案を提案し、マクロ／マイクロセル間のハンドオーバ成功率を向上させ得る利点がある。
【０２３０】
一方、本発明の詳細な説明では具体的な実施例について説明したが、本発明の範囲を逸脱しない範囲内で多様な変形が可能であることはもちろんである。従って、本発明の範囲は説明された実施例に限って決められてはならず、後述する特許請求の範囲だけでなくこの特許請求の範囲と均等なものによって決められるべきである。
【符号の説明】
【０２３１】
１００  マクロ基地局
１１０、１２０  ラジオネットワーク
１３０  ピコセル
１４０  ピコ
１５０  ピャントムセル
【図１】
0005580476.tif 000037
【図２】
0005580476.tif 000038
【図３】
0005580476.tif 000039
【図４】
0005580476.tif 000040
【図５】
0005580476.tif 000041
【図６】
0005580476.tif 000042
【図７】
0005580476.tif 000043
【図８】
0005580476.tif 000044
【図９】
0005580476.tif 000045
【図１０】
0005580476.tif 000046
【図１１】
0005580476.tif 000047
【図１２】
0005580476.tif 000048
【図１３】
0005580476.tif 000049